(57)【要約】【課題】パターヘッドのフェースを目標線に対して正しく直角に向けることができるパタークラブを提供する。【解決手段】パタークラブは、打球用フェース２ａを備えたパターヘッド２と、このパターヘッド２に取付けられたシャフト３と、フェース２ａが打球するボールＢの半径より長くフェース２ａと直交する方向に突出し、ボールの直径より高い位置でパターヘッド２、ネック２ｂ、シャフト３のいずれかに取付けられた方向指示体４とを有する。【選択図】  図２
2004223160.tif 000002
【特許請求の範囲】
【請求項１】
打球用フェースを備えたパターヘッドと、このパターヘッドに取付けられたシャフトと、前記フェースが打球するボールの半径より長くフェースと直交する方向に突出しボールの直径より高い位置で、前記パターヘッド、このパターヘッドに設けられたネック、あるいは前記シャフトのいずれかに取付けられた方向指示体とを有することを特徴とするパタークラブ。
【請求項２】
前記方向指示体は、幅が１５ｍｍ以下の棒体であることを特徴とする請求項１に記載のパタークラブ。
【請求項３】
前記方向指示体は、フェースの上方でフェースと直交する垂直面上に位置することを特徴とする請求項１または２に記載のパタークラブ。
【請求項４】
前記方向指示体は、フェースの打球点の真上に調整できることを特徴とする請求項１または２に記載のパタークラブ。
【請求項５】
前記方向指示体は、前記パターヘッドの重心を通りフェースと直交する垂直面上に位置することを特徴とする請求項１ないし３のいずれか１項に記載のパタークラブ。
【請求項６】
前記方向指示体は、前記パターヘッドの上表面に設けられた方向指示マークと平面視同一線上に設けられることを特徴とする請求項５に記載のパタークラブ。
【請求項７】
前記方向指示体は、折畳み自在に取付けられたことを特徴とする請求項１ないし６のいずれか１項に記載のパタークラブ。
【請求項８】
前記方向指示体は、前記パターヘッドのネックあるいは前記シャフトに着脱自在に取付けられたことを特徴とする請求項１ないし６のいずれか１項に記載のパタークラブ。
【発明の詳細な説明】
【０００１】
【発明の属する技術分野】
本発明はパタークラブに係わり、特に打球の方向性を改善したパタークラブに関する。
【０００２】
【従来の技術】
ゴルフプレーのパットプレーにおいて、アドレス（ゴルフボールを打つため、クラブをボールに接触させないでボールの後側にセットする構え）時に、パターヘッドのフェースを打球の目標線（パッティングライン）に対して直角に向けることは重要である。フェースを目標線に対して正しく直角に向けることにより、プレーヤは、打出した直径約４２．６ｍｍのボールを、プレーヤが描く転がり線上を数十ｃｍ〜数十ｍ転がし、グリーン上に埋設された内径約１０８ｍｍのカップにカップインさせることができる。
【０００３】
従来フェースを打球の目標線に対して直角に向け易くするために、パターヘッド部材の上面にフェースと直交する方向指示線あるいは方向指示点を刻設していた。しかしながら、プレーヤはボールとボールを結ぶ目標線を最大限に意識するため、従来の方向指示線あるいは方向指示点のように、フェースの後方に位置していては、見難い。さらに、その方向指示線の長さが短いため、フェースを目標線に対して正しく直角に向けることができず、ボールをプレーヤが想定する目標線に向かって正確に転がらすことが困難になり、ミスパットにつながることが多かった。
【０００４】
そこで、パターヘッドのフェースを目標線に対して正しく直角に向けることができるパタークラブが要望されていた。
【０００５】
【発明が解決しようとする課題】
本発明は上述した事情を考慮してなされたもので、パターヘッドのフェースを目標線に対して正しく直角に向けることができるパタークラブを提供することを目的とする。
【０００６】
【課題を解決するための手段】
上記目的を達成するため、本発明の１つの態様によれば、打球用フェースを備えたパターヘッドと、このパターヘッドに取付けられたシャフトと、前記フェースが打球するボールの半径より長くフェースと直交する方向に突出しボールの直径より高い位置で、前記パターヘッド、このパターヘッドに設けられたネック、あるいは前記シャフトのいずれかに取付けられた方向指示体とを有することを特徴とするパタークラブが提供される。これにより、パターヘッドのフェースを目標線に対して正しく直角に向けることができるパタークラブが実現される。
【０００７】
好適な一例では、前記方向指示体は、幅が１５ｍｍ以下の棒体である。これにより、ボールが見易く、フェースを目標線に対して正しく直角に向けることができる。
【０００８】
また、他の好適な一例では、前記方向指示体は、フェースの上方でフェースと直交する垂直面上に位置する。
【０００９】
また、他の好適な一例では、前記方向指示体は、フェースの打球点の真上に調整できる。これにより、プレーヤにより異なる打点に合せ方向指示体を調整することで、常にボールの真上に方向指示体を位置させることができ、パターヘッドのフェースを目標線に対して正しく直角に向けることができる。
【００１０】
また、好適な一例では、前記方向指示体は、前記パターヘッドの重心を通りフェースと直交する垂直面上に位置する。これにより、方向指示体をボールの目標線方向の外周線に合せることにより、ボールの中心点にスイトスポットを容易に位置させることができると同時に、フェースを目標線に対して正しく直角に向けることができる。
【００１１】
また、他の好適な一例では、前記方向指示体は、前記パターヘッドの上表面に設けられた方向指示マークと平面視同一線上に設けられる。これにより、方向指示体の効果に相乗して、よりフェースを目標線に対して正しく直角に向けることができる。
【００１２】
また、他の好適な一例では、前記方向指示体は、折畳み自在に取付けられる。これにより、不使用時方向指示体を折畳むことによって、パタークラブのキャディバッグへの収納などその取扱いが容易になる。
【００１３】
また、他の好適な一例では、前記方向指示体は、前記パターヘッドのネックあるいは前記シャフトに着脱自在に取付けられる。これにより、不使用時、取付部材を取外すことによって、パタークラブのキャディバッグへの収納など、その取扱いが容易になる。
【００１４】
【発明の実施の形態】
以下、本発明に係わるパタークラブの第１実施形態について添付図面を参照して説明する。
【００１５】
図１は本発明に係わるパタークラブの第１実施形態の側面図、図２はその平面図である。
【００１６】
図１及び図２に示すように、本発明の第１実施形態のパタークラブ１は、打球用フェース２ａを備えた金属製のパターヘッド２と、このパターヘッド２から角度（ライ角度）を有して延出するネック２ｂを介してパターヘッド２に取付けられたシャフト３と、フェース２ａと直交する方向に突出し、パターヘッド２のネック（ホーゼル）２ｂに取付けられた方向指示体４とを有している。
【００１７】
この方向指示体４は、軽量金属製の棒体で、好ましくは、幅（直径）が１５ｍｍ以下、より好ましくは３〜４ｍｍの角柱状あるいは円柱状であり、フェース２ａが打球するボールＢの半径より長く、例えばボールＢの直径よりも１０ｍｍ長くなっており、ボールＢの直径より高い位置であるネック２ｂの上端部１ｂ１に取付けられている。棒体の幅（直径）が１５ｍｍを超えると、ボールが見難くフェースを目標線に対して正しく直角に向け難くなる。また、方向指示体の長さがボールの半径より短いと、フェースを目標線に対して正しく直角に向け難くなる。
【００１８】
なお、方向指示体４の先端に方向指示用の三角錐状の矢印４ａを設けると、さらに方向合せが容易になる。
【００１９】
次に本第１実施形態のパタークラブを用いたパッティングについて説明する。
【００２０】
図３に示すように、パッティングを行うプレーヤＰは、アドレスし、アドレス時ボールの中心点がパターヘッド２のスイトスポット（最も効果的にパターヘッドのエネルギーをボールに伝達することが可能な点）に合い易くするために、方向指示点をボールの目標線方向の外周線（ボールの赤道と直交する外周線）に合せ、さらに、方向指示体４を目標線（パッティングライン）Ｌと平行にする。
【００２１】
このとき、棒体の幅（直径）が１５ｍｍ以下であるので、ボールが見易く、フェースを目標線に対して正しく直角に向けることができ、また、方向指示体４はフェース２ａと直交する方向にボールの半径以上長く突出しているので、パターヘッド２のフェース２ａを目標線Ｌに対して正しく直角に向けることができる。さらに、外周線に沿って施線したボールを用いてフェース合せしたと同様の効果が得られて、正しく直角に向けることができる。また、方向指示体４はボールの直径より高い位置に取付けられているので、パッティング中、方向指示体がボールにあたりパッティングを妨げることもない。
【００２２】
従って、プレーヤＰはボールＢへの目線に沿って打出し目標が取れ、パターを打球の目標線に沿って平行に移動させることで、ボールを目標線に対して打出していくことが可能となり、カップイン率を向上させることができる。
【００２３】
なお、本第１実施形態において、方向指示体を、フェースのヒール側上方に取付けているが、これに限らず、方向指示体を、パターヘッドの重心あるいはその近傍を通りフェースと直交する垂直面上に位置して取付けてもよい。
【００２４】
また、本発明に係わるパタークラブの第２実施形態について説明する。
【００２５】
本第２実施形態は、上記第１実施形態が方向指示体をフェースと直交する方向に突出して取付けるのに対して、方向指示体をフェースの打球点の真上に調整できるものである。
【００２６】
例えば、図４及び図５に示すように、第２実施形態のパタークラブ１Ａは、パターヘッド２Ａのネック２Ａｂに取付けられた取付部材５Ａを介して、ネック２Ａｂに取付けられた方向指示体４Ａを有している。この方向指示体４Ａは、略々Ｌ字形状をなし、その方向指示部４Ａｂは、フェース２Ａａと直交する方向に突出しており、支持部４Ａｃは、取付部材５Ａに設けられた支持孔を貫通し、蝶ネジ５Ａａによって、進退自在に取付部材５Ａに取付けられている。他の構成は図１に示すパタークラブと異ならないので、同一符号を付して説明は省略する。
【００２７】
従って、プレーヤは、プレー前に予め、自己のアドレス姿勢、体型に応じて、方向指示部４Ａｂが、フェース２Ａａに対向して置かれたボールＢの外周線に合せられるように、支持部４Ａｃを進退させ、蝶ネジ５Ａａで固定し、方向指示部４Ａｂを調整しておく。
【００２８】
これにより、プレーヤにより異なる打点に合せ方向指示部４Ａｂを調整することで、常にボールＢの真上に方向指示体４Ａを位置させることができ、パターヘッド２Ａのフェース２Ａａを目標線Ｌに対して正しく直角に向けることができる。
【００２９】
また、本発明に係わるパタークラブの第３実施形態について説明する。
【００３０】
本第３実施形態は、上記第１実施形態が方向指示体をフェースと直交する方向に突出して取付けるのに対して、方向指示体を、フェースと直交しパターヘッドの重心を通る垂直面上に位置して取付ける。
【００３１】
例えば、図６及び図７に示すように、第３実施形態のパタークラブ１Ｂは、パターヘッド２Ｂのヒール側端部から垂直に延出し、さらに、９０°屈曲されてパタークラブ１Ｂと平行に延出して、パターヘッド２Ｂの重心Ｇを通る垂直面まで達し、再び垂直に延びて垂直部３Ｂａが形成されたシャフト３Ｂを有している。垂直部３Ｂａには、取付部材５Ｂａを介して方向指示体４Ｂが取付けられており、垂直部３Ｂａが重心Ｇを通る垂直面上に位置しているので、方向指示体４Ｂも重心Ｇを通る垂直面内に位置している。
【００３２】
従って、アドレス時には、図７に示すような状態になり、方向指示体４ＢをボールＢの外周線に合せることにより、ボールＢの中心点にスイトスポットを容易に位置させることができると同時に、フェース２Ｂａを目標線Ｌに対して正しく直角に向けることができる。なお、本第３実施形態は、図５に示すようなヒール部からネック部が延出するパタークラブにおいて、方向指示体がパターヘッドの重心を通りフェースと直交する垂直面上に位置するものであってもよく、そのパターヘッド及びシャフトの形状にかかわらず、適用が可能である。
【００３３】
さらに、図８に示すように、パタークラブ１Ｃのフェース２Ｃａの上表面２Ｃｃとパターヘッド２Ｃの重心Ｇを通る垂直面との交線上に方向指示線あるいはマーク方向指示点のような方向指示マークＭを設ければ、方向指示体の効果に相乗して、よりフェース２Ｃａを目標線Ｌに対して正しく直角に向けることができる。
【００３４】
また、本発明に係わるパタークラブの第４実施形態について説明する。
【００３５】
本第４実施形態は、上記第１実施形態が方向指示体をフェースと直交する方向に突出した状態に常時保つのに対して、方向指示体を折畳み自在にする。
【００３６】
例えば、図９及び図１０に示すように、図示しないパタークラブのパターヘッドから延出するネック２Ｄｂの上端部には、取付部材４Ｄａが取付けられ、この取付部材４Ｄａには方向指示体４Ｄが、シャフト３Ｄに沿った状態で折畳めるように軸着されている。従って、本第４実施形態のパタークラブは、折畳み自在の方向指示体が取付けられているので、公式ゴルフ競技には使用できないが、練習での使用は可能であり、不使用時方向指示体を折畳むことによって、パタークラブのキャディバッグへの収納などその取扱いが容易になる。
【００３７】
また、本発明に係わるパタークラブの第５実施形態について説明する。
【００３８】
本第５実施形態は、上記第１実施形態が方向指示体をパターヘッドのネックあるいはシャフトに取付けるのに対して、方向指示体を着脱自在にパターヘッドのネックあるいはシャフトに取付ける。
【００３９】
例えば、図１１に示すように、方向指示体４Ｅをシャフト２Ｅが嵌合するネック２Ｅｂに取付ける取付部材４Ｅａは、弾性を有する合成樹脂製で略々リング形状をなし、その外周一側には方向指示体４Ｅが取付けられ、外周他側には拡開用にスリット４Ｅａ１が設けられており、弾性作用によりネック２Ｅｂに挟装されている。
【００４０】
従って、図１２に示すように、予めネック２Ｅｂ及び取付部材４Ｅａに付された位置合せマークｍ１、ｍ２を合せることで、図１に示すような第１実施形態と同様のパタークラブを実現させることができ、公式ゴルフ競技には使用できないが、練習での使用は可能であり、不使用時、取付部材４Ｅａを弾性に抗してスリット４Ｅａ１から拡開して取外すことによって、パタークラブのキャディバッグへの収納などその取扱いが容易になる。
【００４１】
【発明の効果】
本発明に係わるパタークラブによれば、パターヘッドのフェースを目標線に対して正しく直角に向けることができるパタークラブを提供することを目的とする。
【図面の簡単な説明】
【図１】本発明に係わるパタークラブの第１実施形態の側面図。
【図２】本発明に係わるパタークラブの第１実施形態の平面図。
【図３】本発明に係わるパタークラブの第１実施形態の使用状態を示す概念図。
【図４】本発明に係わるパタークラブの第２実施形態の側面図。
【図５】本発明に係わるパタークラブの第２実施形態の平面図。
【図６】本発明に係わるパタークラブの第３実施形態の斜視図。
【図７】本発明に係わるパタークラブの第３実施形態の平面図。
【図８】本発明に係わるパタークラブの他の実施形態の平面図。
【図９】本発明に係わるパタークラブ第４実施形態の使用状態を示す斜視図。
【図１０】本発明に係わるパタークラブ第４実施形態の側面図。
【図１１】本発明に係わるパタークラブ第５実施形態で図１２のＸ−Ｘ線に沿う断面図。
【図１２】本発明に係わるパタークラブ第５実施形態の側面図。
【符号の説明】
１  パタークラブ
２  パターヘッド
２ａ  フェース
２ｂ  ネック
２ｂ１  上端部
３  シャフト
４  方向指示体
４ａ  矢印
Ｂ  ボール
Ｌ  目標線
【図１】
2004223160.tif 000003
【図２】
2004223160.tif 000004
【図３】
2004223160.tif 000005
【図４】
2004223160.tif 000006
【図５】
2004223160.tif 000007
【図６】
2004223160.tif 000008
【図７】
2004223160.tif 000009
【図８】
2004223160.tif 000010
【図９】
2004223160.tif 000011
【図１０】
2004223160.tif 000012
【図１１】
2004223160.tif 000013
【図１２】
2004223160.tif 000014